(57)【要約】【課題】発射部に遊技球を送出す発射球供給装置と、前枠側の固定中心に揺動自在に取付けられ発射部にある遊技球を遊技領域に打出す打球槌と、打球槌の揺動運動を発射球供給装置に伝達し且つ打球槌の打球動作と発射球供給装置の供給動作を同期させる中間伝達手段とを有する弾球遊技機の打球発射装置がある。しかし従来の中間伝達手段は、打球槌側面に針金状の引掛杆を固着した構造であるため引掛杆の正確な角度設定が難しくまた使用時に狂いや曲がりが生じやすい。【解決手段】前記打球槌５と同じく前枠側の固定中心に揺動自在に取付けられ且つ打球槌５と一体に揺動運動をする原動カム２と、その原動カム２の揺動運動を受けて作動しその動作で発射球供給装置に供給動作を行わせる従動部材４４で前記中間伝達手段１８を構成するようにした弾球遊技機の打球発射装置を提供する。【選択図】        図５
2010234169.tif 000002
【特許請求の範囲】
【請求項１】
発射レールの発射部に遊技球を送り出す発射球供給装置と、前枠側の固定中心に揺動自在に取り付けられ前記発射レールの発射部にある遊技球を遊技領域に打ち出す打球槌と、その打球槌の揺動運動を発射球供給装置に伝達し且つ打球槌の打球動作と発射球供給装置の供給動作を同期させる中間伝達手段と、を有する弾球遊技機の打球発射装置において、
前記打球槌と同じく前枠側の固定中心に揺動自在に取り付けられ且つ打球槌と一体に揺動運動をする原動カムと、その原動カムの揺動運動を受けて作動しその動作で発射球供給装置に供給動作を行わせる従動部材で前記中間伝達手段を構成するようにした弾球遊技機の打球発射装置。
【発明の詳細な説明】
【技術分野】
【０００１】
本発明は、遊技板の遊技領域に遊技球を打ち出すための打球発射装置に関する。
【背景技術】
【０００２】
特開平６−３２７８１４号に記載された従来の打球発射装置を図９，図１０により説明する。打球発射装置１００は、機前の球皿１０１から発射レール１０２の発射部１０３に遊技球を送り出す発射球供給装置１０４と、前枠１０５側の固定軸１１７に揺動自在に取り付けられ前記発射レール１０２の発射部１０３にある遊技球を遊技板１０７の遊技領域１０９に打ち出す打球槌１１０と、その打球槌１１０の揺動運動を発射球供給装置１０４に伝達して打球槌１１０の打球動作と発射球供給装置１０４の供給動作を同期させる中間伝達手段１１１とを有する。
【０００３】
前記中間伝達手段１１１は、図１０に示したように、打球槌１１０の側面に固着した鍵型の引掛杆１１２と、前枠１０５側の固定軸１０６（通常、発射レール１０２の取付基板（下部遊技板ともいう。）の下縁に取り付けられる。）に軸着した従動部材１１３で構成される。この従動部材１１３は、シーソー状態に揺動するシーソー板１１４と、そのシーソー板１１４の側面から一体に垂設した摺動板１１５で構成され、その摺動板１１５に打球槌１１０の引掛杆１１２が係合し、一方、前記シーソー板１１４の先端上面に発射球供給装置１０４の原動レバー１１６が臨む。
【０００４】
従来の打球発射装置１００は以上のような構成であり、打球槌１１０が図１０の位置から準備動作に入って後傾すると、引掛杆１１２に摺接する摺動板１１５が固定軸１０６を中心に傾動し、それと一体にシーソー板１１４が傾動して発射球供給装置１０４の原動レバー１１６を持ち上げる。そして、打球槌１１０がバネの復元力或いはモーターの回転力で勢いよく元の位置に戻ると、それにより摺動板１１５が解放され、自己のバランスにより従動部材１１３が元の状態に戻るから発射球供給装置１０４の原動レバー１１６が下動する。この発射球供給装置１０４は、原動レバー１１６の１回の上下運動で遊技球が１個送り出されるようになっており、従って発射レール１０２の発射部１０３に対して遊技球が１個だけ送り出される。
【発明の概要】
【発明が解決しようとする課題】
【０００５】
打球発射装置１００の中間伝達手段１１１は、上記のように打球槌１１０の運動を発射球供給装置１０４に伝達し且つ両者を同期させるという重要な役割があり、僅かな狂いでも発射球供給装置１０４の作動に悪影響を及ぼす。しかるに従来の中間伝達手段１１１は、打球槌１１０の側面に針金状の引掛杆１１２を固着した構造であるため、引掛杆１１２の正確な角度設定が難しく、また、使用時に角度の狂いや曲がりが生じやすいなどの問題点があった。
【課題を解決するための手段】
【０００６】
本発明は上記に鑑みなされたもので、発射レールの発射部に遊技球を送り出す発射球供給装置と、前枠側の固定中心に揺動自在に取り付けられ前記発射レールの発射部にある遊技球を遊技領域に打ち出す打球槌と、その打球槌の揺動運動を発射球供給装置に伝達し且つ打球槌の打球動作と発射球供給装置の供給動作を同期させる中間伝達手段と、を有する弾球遊技機の打球発射装置において、前記打球槌と同じく前枠側の固定中心に揺動自在に取り付けられ且つ打球槌と一体に揺動運動をする原動カムと、その原動カムの揺動運動を受けて作動しその動作で発射球供給装置に供給動作を行わせる従動部材で前記中間伝達手段を構成するようにした弾球遊技機の打球発射装置を提供する。
【０００７】
本発明の打球発射装置は、中間伝達手段を上記特定構造の原動カムと従動部材の組み合わせで構成したため、従来の引掛杆１１２と従動部材１１３の組み合わせに比べて狂いが生じにくく、発射球供給装置の作動が正確・確実になる。
【発明の効果】
【０００８】
本発明は、中間伝達手段を上記特定構造の原動カムと従動部材の組み合わせで構成したため、従来の引掛杆と従動部材の組み合わせに比べて狂いが生じにくく、発射球供給装置の作動が正確・確実になる効果がある。
【図面の簡単な説明】
【０００９】
【図１】一部を断面にして示す打球ユニットの正面図である。
【図２】図１の作用図である。
【図３】図１の裏面図である。
【図４】図１の斜視図である。
【図５】図４の分解図である。
【図６】要部の縦断面図である。
【図７】プーリーボックスを含む要部の縦断面図である。
【図８】図７のＸ−Ｘ線断面図である。
【図９】弾球遊技機の正面図である。
【図１０】従来技術を示す要部の斜視図である。
【発明を実施するための形態】
【００１０】
以下に本発明の実施の形態を図面を参照しつつ説明する。なお、図１は一部を断面にして示す打球ユニットの正面図、図２は図１の作用図、図３は図１の裏面図、図４は図１の斜視図、図５は図４の分解図、図６は要部の縦断面図、図７はプーリーボックスを含む要部の縦断面図、図８は図７のＸ−Ｘ線断面図、図９は弾球遊技機の正面図である。
【００１１】
本発明の打球発射装置は、発射球供給装置と、打球ユニット３で概略構成される。なお、発射球供給装置の構成は、中間伝達手段１１１を除いて従来の発射球供給装置１０４と同じである。また、発射球供給装置の構造は、後述する従動部材４４の動作に適合する範囲において自由である。
【００１２】
打球ユニット３は、図４，図５に示したように、金属製のベースプレート４の表裏両面に後述する各種構成部品を取り付けてなる。このベースプレート４は、前枠１０５の裏側の所定位置にビスなどの固定手段で取り付けられる前枠１０５側の固定部品である。なお、以後ベースプレート４の前枠１０５に対向する側の面、すなわち図４において正面に向かう面を表面、その逆の面を裏面という。
【００１３】
しかしてベースプレート４の裏面には、図３に示したように、打球槌５と、打球槌駆動用のモーター６と、打球槌５を発射位置に止めるゴム製のストッパー７が取り付けられている。前記打球槌５には、上端にコイル状の槌先部材８が設けられ、中間後側面にカム受けローラ９が回転自在に設けられ、下端に回転軸１０が設けられている。この回転軸１０はベースプレート４に対し打球槌５を揺動自在に支持するためのもので、打球槌５に対して相対運動不能なようにナット１１で固着され、ベースプレート４の表面に筒部１２を突出させた形態の軸受１３に回転自在に支持される。なお、前記のようにベースプレート４は前枠１０５の裏面の定位置に固着されているから、打球槌５の揺動中心（回転軸１０）は前枠１０５側の固定中心である。
【００１４】
前記打球槌駆動用のモーター６は、打球槌５の揺動領域を跨ぐ平面視コ字状のモーター台１４に取り付けられており、自己の出力軸１５の先端に固着したカム１６が前記打球槌５のカム受けローラ９に係合し得る。
【００１５】
一方、ベースプレート４の表面には打球槌５の打球力を調節する打力調節ユニット１７と、打球槌５の揺動運動を前記発射球供給装置に伝達して打球槌５の打球動作と発射球供給装置の供給動作を同期させる中間伝達手段１８が有機的な繋がりを持って取り付けられている。前記打力調節ユニット１７は、さらにまた図１において右側に位置するプーリーボックス１９と、左側に位置する付勢装置２０とに分けられる。
【００１６】
プーリーボックス１９は、図５に示したようにベースプレート４の表面にビスで固着したケース体２１と、そのケース体２１の内部に回転自在なように内蔵した原動プーリー２２及び補助プーリー２３とからなり、前記原動プーリー２２にワイヤー２４の一端を係止させ、さらにそのワイヤー２４を補助プーリー２３に巻き掛けて外部に引き出すようになっている。プーリーボックス１９のケース体２１の前面には、図５，７，９に示したように前枠１０５の前面下隅角部に設けた操作ハンドル２５をジョイントさせるハンドル固定部２１０が突設されており、そのハンドル固定部２１０の中心に前記原動プーリー２２に達する軸孔２６が貫設されている。
【００１７】
前記操作ハンドル２５は、図７に示したように前枠１０５に固定する固定基筒２７と、その固定基筒２７と一体に連結されたキャップ状の握り部２８と、その握り部２８と固定基筒２７の間にあって一定範囲内で回動自在な指掛操作板２９と、その指掛操作板２９から一体に突設され固定基筒２７の中心を貫いて後端に突出する操作軸３０とで構成される。そして、操作ハンドル２５の固定基筒２７を前枠１０５のハンドル孔３１に通すと共にその固定基筒２７の内側に設けたジョイント筒３２（図８参照）を前記プーリーボックス１９のハンドル固定部２１０に嵌める。操作ハンドル２５の固定基筒２７には下向きに開口するスリット３３が設けられており、そのスリット３３に前枠１０５の前面に突設した上向き鍵状のフック片３４を挟み込ませると共にハンドル固定ネジ３５でスリット３３の間隔を狭めさせ、もって操作ハンドル２５のジョイント筒３２をプーリーボックス１９のハンドル固定部２１０に締め付ける。また、前記ハンドル固定ネジ３５は前記フック片３４の鍵部に引っ掛かる位置にあり、そのハンドル固定ネジ３５とフック片３４の係合が操作ハンドル２５の強力な抜け止め策となる。
【００１８】
打力調節ユニット１７のもう一つの構成要素である付勢装置２０は、図５に示したように、槌側カップ３６と、ハンドル側カップ３７と、両カップ３６，３７を繋ぐ捩りコイルばね３８で構成される。前記槌側カップ３６はハンドル側カップ３７に向けてドラム状の短筒部３６ａを突設したカップ形態であって、打球槌５の回転軸１０の端部に相対運動不能なようにビス３９で締め付けられており、打球槌５と一体になって揺動（回動）運動を行う。
【００１９】
前記ハンドル側カップ３７は槌側カップ３６に向けてドラム状の短筒部３７ａを突設したカップ形態であって、ベースプレート４の軸受１３の筒部１２の回りに回転自在に遊嵌されており、図１において外周のほぼ「５時」から「１０時」の範囲にプーリー溝４０がある。そして、そのプーリー溝４０の「１０時」側の端部に前記原動プーリー２２に繋がっているワイヤー２４が止着されている。従って、操作ハンドル２５の指掛操作板２９の回転操作が操作軸３０を介して原動プーリー２２に伝わり、さらにその回転がワイヤー２４を介してハンドル側カップ３７に伝わる。
【００２０】
前記捩りコイルばね３８は、図６に示したようにハンドル側カップ３７と槌側カップ３６の間に圧縮状態に組み込まれている。この捩りコイルばね３８には両端に係合部３８ａ，３８ｂが屈曲形成されており、一方の係合部３８ａがハンドル側カップ３７の短筒部３７ａに穿設した止め孔４１に係合し、他方の係合部３８ｂが槌側カップ３６の短筒部３６ａに櫛歯状に切り込んだ横向き凹状の止め溝４２に係合する。捩りコイルばね３８は、図１においてハンドル側カップ３７を時計回りに、槌側カップ３６を反時計回りに付勢するように予め捻りを加えた状態に組み込まれており、その捻りの反発力で打球槌５と、操作ハンドル２５の指掛操作板２９を相互に牽引する。なお、前記のように槌側カップ３６の止め溝４２は複数本形成されており、その何れを選ぶかにより捩りコイルばね３８の強さを適宜調節することができる。また、その止め溝４２，４２…は前記のように櫛歯状に切り込まれていて横向き凹状、つまり外部に口を開いているため、係合部３８ｂをラジオペンチのような工具で摘むか、又は係合部３８ｂを外部に長く突出させて摘み状に形成しそれを指で摘むことで、止め溝４２，４２…間の移動が槌側カップ３６を回転軸１０から外さずとも行える。さらにまた、ハンドル側カップ３７の止め孔４１を図５のように複数個に設定しておけば、止め溝４２による捩りコイルばね３８の調整が限界に達した場合でも、この止め孔４１の位置を変更することにより対応することができる。
【００２１】
ところでハンドル側カップ３７は、槌側カップ３６との間に捩りコイルばね３８を圧縮装填した反動でベースプレート４に押し付けられるため、ベースプレート４との摩擦抵抗が大きくなって円滑な回転が妨げられるおそれがある。そこで実施形態では、ハンドル側カップ３７のベースプレート４との対向面に、ベースプレート４との接触面積を小さくするための凸部４３が設けてある。図示した凸部４３は軸受１３の筒部１２と同心円をなす円形リブ形態になっているが、それ以外にも例えば円錐形の小突起を複数箇所に点在させるような構成にしてもよい。これによりハンドル側カップ３７の円滑な回転が可能になる。
【００２２】
中間伝達手段１８は、既に説明したように打球槌５の揺動運動を前記発射球供給装置に伝達して打球槌５の打球動作と発射球供給装置の供給動作を同期させるためのもので、前記槌側カップ３６を利用する原動カム２と、その原動カム２で作動する従動部材４４で構成される。
【００２３】
原動カム２は、槌側カップ３６の周面トップの位置に山部４５を突設し、その山部４５の側面に回転自在なローラー４６を突設してなる。既に説明したように槌側カップ３６と打球槌５は一つの回転軸１０の両端に夫々相対運動不能な状態に直結されており且つ回転軸１０が前枠１０５側の固定中心であるから、原動カム２は打球槌５と同じ固定中心に揺動自在に取り付けられ且つ打球槌５と一体に揺動運動をする。
【００２４】
従動部材４４は、図１において正面視ほぼ扇形の摺動板４７と逆Ｌ字形の作動腕４８で構成される。従動部材４４は、摺動板４７の扇の要に相当する基端部をベースプレート４の固定軸４９に遊嵌させることにより揺動自在とし、さらに摺動板４７の下面を弧状のカム面５０として前記原動カム２のローラー４６に転がり接触させる。一方、従動部材４４の作動腕４８の傾斜した頂部が、図１０の従来技術で説明した発射球供給装置１０４の原動レバー１１６の直下に臨む。
【００２５】
なお、従動部材４４の作動腕４８は、摺動板４７に対して揺動自在なように軸５１でピン接合すると共にその軸５１に巻き掛けたバネ５２で常時上向きに付勢されており、正常時において摺動板４７と作動腕４８は一体に揺動するが、何らかの要因で作動腕４８の上動が妨げられたり、或いは作動腕４８に押圧力が作用した場合にバネ５２の付勢に抗して図１二点鎖線のように作動腕４８が摺動板４７の裏側に沈むようになっている。このように実施形態の従動部材４４は、正常でない力を作動腕４８の動きで吸収することができるため、従動部材４４はもちろんそれに関連する他の部品の損傷を防止することができる。
【００２６】
その他、図中、符号５３はベースプレート４に貫設した窓孔であり、この窓孔５３を通してベースプレート４の裏側からワイヤー２４の張り具合などをチェックする。
【００２７】
次に打球発射装置の動作について説明する。まず、球皿１０１に遊技球が投入されると、先頭の遊技球が発射球供給装置１０４の内部で止まる。この状態で操作ハンドル２５に触れるとセンサーがそれを検知し、打球槌駆動用のモーター６が作動して出力軸１５の先端にあるカム１６が回転する。そして回転するカム１６は、打球槌５のカム受けローラ９に係合し、捩りコイルばね３８の付勢に抗しつつ打球槌５を後傾させる。この打球槌５の動きは回転軸１０を介して原動カム２に直に伝わるから、原動カム２も打球槌５と同量回動する。そうすると図２のように原動カム２のローラー４６に接する従動部材４４が作動腕４８を上昇させる方向に揺動し、この作動腕４８の上昇で発射球供給装置１０４の原動レバー１１６が上昇する。
【００２８】
打球槌５が所定の位置まで傾動するとカム受けローラ９がカム１６から外れて打球槌５がフリーになる。そうすると原動カム２（槌側カップ３６）もフリーになり、捩りコイルばね３８の付勢により原動カム２及び打球槌５が逆向きに勢いよく回動し、打球槌５がゴム製のストッパー７に当たって止まる。もし、この段階で発射レール１０２の発射部１０３に遊技球があれば槌先部材８に当たって勢いよく飛び出すのであるが、ここではまだ発射部１０３に遊技球がないため打球槌５は空打ちとなる。
【００２９】
一方、原動カム２が元の位置に戻ると従動部材４４も図１の元の姿勢に戻るため作動腕４８が下動し、それに連れて発射球供給装置１０４の原動レバー１１６が下動する。従来技術の項で説明したように原動レバー１１６が１回上下動すると発射球供給装置１０４の先頭にある１個の遊技球が発射部１０３に送り出される。
【００３０】
次に上記の繰り返しで再度打球槌５が傾動して戻ると、発射部１０３にある先ほどの遊技球が槌先部材８に当たって勢いよく飛び出す。そして、飛び出した遊技球と入れ替わるようにして次の遊技球が発射部１０３に送り出される。
【００３１】
以後、打球槌駆動用のモーター６のカム１６が１回転する毎に上記の動作が繰り返されるから、打球槌５によって発射部１０３にある遊技球が１個ずつ発射され、それと入れ替わるタイミングで発射球供給装置１０４から発射部１０３に遊技球が１個ずつ供給される。
【００３２】
なお、打球槌５の打球力の調節は、遊技者が操作ハンドル２５の指掛操作板２９を回すことにより行う。そうすると、指掛操作板２９の回転が操作軸３０を介して原動プーリー２２に伝わり、その回転がワイヤー２４を介してハンドル側カップ３７に伝達される。このハンドル側カップ３７の回転は捩りコイルばね３８の弾発力を強める方向（図１において反時計回り）に作用するから、その分、打球槌５の打球力が強くなる。
【００３３】
以上、本発明を実施の形態について説明したが、もちろん本発明は上記実施形態に限定されるものではない。例えば実施形態で示した付勢装置２０はコイルスプリングを伸び縮みさせる一般的な構造にしてもよい。また、実施形態では一つの回転軸１０を打球槌５と原動カム２の共通の固定中心としたが、例えば原動カム２専用の回転軸をベースプレート４に別途形成し、その回転軸と打球槌５の回転軸１０を歯車、ベルト等の媒介節で連結させるようにしてもよい。
【００３４】
また、本発明の実施形態にはさらに次のような技術的思想が含まれる。
(1) 前枠１０５の裏面に固着されるベースプレート４に打球槌５と操作ハンドル２５用のプーリーボックス１９とを設けてなる打球発射装置を備え、前記ベースプレート４の表面と前枠１０５の裏面の間にスペースを形成すると共にベースプレート４の表面にプーリーボックス１９を配置して前記スペース内にプーリーボックス１９が収まるようになし、さらにベースプレート４の裏面に打球槌５を配置した弾球遊技機。
【００３５】
この弾球遊技機は、従来のものに比べて打球発射装置（ベースプレート４）のコンパクト化が可能になる。すなわち、従来の弾球遊技機の打球発射装置は、ベースプレート４の裏面に打球槌５とプーリーボックス１９が横並びになっているが、この状態では打球槌５とプーリーボックス１９の衝突を回避するために打球槌５の揺動領域の外側にプーリーボックス１９を配置する必要があり、その分ベースプレート４が大きくなる不具合があった。
【００３６】
これに対して前記(1)の弾球遊技機は、これまで前枠１０５の裏面に密着させていたベースプレート４の取付構造を改め、前枠１０５の裏面とベースプレート４の間にスペースを形成してそのスペースにプーリーボックス１９を納めさせるようにしたため、打球槌５とプーリーボックス１９の衝合を考慮する必要がなくなり、打球槌５の近くにプーリーボックス１９を設置することができる。従って、その分ベースプレート４を小さくコンパクトに、ひいては打球発射装置を小さくコンパクトにすることができる。
【００３７】
(2) 打球槌５の回転軸１０に直結した回動可能な第１バネ受部材（槌側カップ３６）と、打球勢調節用の操作ハンドル２５に連結され前記回転軸１０の回りで回転可能な第２バネ受部材（ハンドル側カップ３７）を対向設置し、両第１，第２バネ受部材の間に捩りコイルばね３８を組み込むと共にその捩りコイルばね３８の両端を夫々第１，第２バネ受部材に係止させ、第１，第２バネ受部材同士を相対的に逆向き回動させて捩りコイルばね３８を絞るように変形させ、その変形から復元する捩りコイルばね３８の力で打球槌５を高速復動させるようにした弾球遊技機の打球発射装置。
【００３８】
この打球発射装置は、従来のものに比べてベースプレート４（打球発射装置）のコンパクト化が可能になる。すなわち、従来の打球発射装置は、細長いコイルスプリングを伸び縮みさせて打球槌５を高速復動させる付勢構造であったため、コイルスプリングを伸び縮みさせるための余分なスペースを必要とした。
【００３９】
これに対して前記(2)の打球発射装置は、打球槌５の回転軸１０上に付勢装置２０の全てが設置できるため、コイルスプリングを伸び縮みさせるための余分なスペースが不要になって、その分ベースプレート４を小さくコンパクトに、ひいては打球発射装置を小さくコンパクトにすることができる。
【００４０】
(3) 前記第１バネ受部材に、第２バネ受部材に向けてドラム状の短筒部３６ａを突設し、その短筒部３６ａにほぼ横向き凹状に開口する止め溝４２，４２…を複数本形成し、一方、捩りコイルばね３８の端部に係合部３８ｂを屈曲形成し、その係合部３８ｂを止め溝４２，４２…の何れかに係合させるようにした前記(2)項に記載の弾球遊技機の打球発射装置。
【００４１】
この打球発射装置は、槌側カップ３６を回転軸１０から外さずとも係合部３８ｂを隣の止め溝４２へ移動させることができるため、打球勢の基本設定の変更が容易に行える。また、捩りコイルばね３８自体の軸線方向の拡張圧力で係合部３８ｂと止め溝４２の係合状態が維持されるため、構造が簡単で低コストになる。
【００４２】
(4) ベースプレート４の裏面に打球槌５を配置すると共にその打球槌５の揺動領域を跨ぐ位置にモーター台１４を設置し、さらにそのモーター台１４に前記打球槌駆動用のモーター６を装着し、一方、ベースプレート４の表面に、機前の操作ハンドルに接続するプーリーボックス１９と、打球槌５を弾発付勢する付勢装置２と、前記中間伝達手段１８とを配置してなる弾球遊技機の打球発射装置。
【００４３】
この打球発射装置は、各部品を弾球遊技機の前後方向に重畳配置したため、ベースプレート４の横方向への広がりを抑制して面積を小さくすることができる。近年、弾球遊技機は遊技領域を拡大する方向にあり、それによって遊技板以外の部品の設置スペースが逆に縮小される傾向にあるが、前記のようにベースプレート４の面積を小さくすることでそのような設置スペースの縮小にも十分対応可能となる。
【符号の説明】
【００４４】
２…原動カム
５…打球槌
１０…回転軸（固定中心）
１８…中間伝達手段
４４…従動部材
１０２…発射レール
１０３…発射部
１０５…前枠
１０９…遊技領域
【図１】
2010234169.tif 000003
【図２】
2010234169.tif 000004
【図３】
2010234169.tif 000005
【図４】
2010234169.tif 000006
【図５】
2010234169.tif 000007
【図６】
2010234169.tif 000008
【図７】
2010234169.tif 000009
【図８】
2010234169.tif 000010
【図９】
2010234169.tif 000011
【図１０】
2010234169.tif 000012